(57)【要約】      （修正有）【課題】実行待ちジョブを全て実行したのち電源を遮断する場合のような、実行途中で印刷装置が完全にフリーズする事態の発生を可及的に防止するとともに、電源を再起動して退避させた実行待ちジョブを実行する場合のような効率の悪さを防止できる印刷装置等を提供する。【解決手段】受信手段により電源遮断指令を受信したことを契機として、自装置内に保持されている１個または複数個の実行待ちジョブを実行する場合の自装置のシステムへの負荷についての情報である負荷情報を取得し、この負荷情報に基づいて、実行待ちジョブの一部または全部をジョブ実行手段に実行させたのち自装置の電源を遮断するか、実行待ちジョブをジョブ実行手段に実行させることなく電源を遮断するかを制御する制御手段を備えている。【選択図】図４
2016210059.tif 000002
【特許請求の範囲】
【請求項１】
外部からの電源遮断指令を受信する受信手段と、
ジョブを実行するジョブ実行手段と、
前記受信手段により前記電源遮断指令を受信したことを契機として、自装置内に保持されている１個または複数個の実行待ちジョブを実行する場合の自装置のシステムへの負荷についての情報である負荷情報を取得する負荷情報取得手段と、
前記負荷情報取得手段により取得した前記負荷情報に基づいて、前記実行待ちジョブの一部または全部を前記ジョブ実行手段に実行させたのち自装置の電源を遮断するか、前記実行待ちジョブを前記ジョブ実行手段に実行させることなく前記電源を遮断するかを制御する制御手段と、
を備えたことを特徴とする印刷装置。
【請求項２】
前記負荷情報は自装置に搭載されたＲＡＭの空き容量であり、
前記制御手段は、前記ＲＡＭの空き容量が所定値よりも大きい場合は、前記実行待ちジョブの一部または全部を前記ジョブ実行手段に実行させたのち自装置の電源を遮断し、所定値以下の場合は、前記実行待ちジョブを前記ジョブ実行手段に実行させることなく前記電源を遮断する請求項１に記載の印刷装置。
【請求項３】
前記負荷情報は前記実行待ちジョブの個数であり、
前記制御手段は、前記実行待ちジョブの個数が所定値よりも少ない場合は、前記実行待ちジョブの一部または全部を前記ジョブ実行手段に実行させたのち自装置の電源を遮断し、所定値以上の場合は、前記実行待ちジョブを前記ジョブ実行手段に実行させることなく前記電源を遮断する請求項１または２に記載の印刷装置。
【請求項４】
前記負荷情報は前記実行待ちジョブのサイズの合計値であり、
前記制御手段は、前記合計値が所定値よりも少ない場合は、前記実行待ちジョブの一部または全部を前記ジョブ実行手段に実行させたのち自装置の電源を遮断し、所定値以上の場合は、前記実行待ちジョブを前記ジョブ実行手段に実行させることなく前記電源を遮断する請求項１〜３のいずれかに記載の印刷装置。
【請求項５】
外部からの電源遮断指令を受信する受信手段と、
ジョブを実行するジョブ実行手段と、
前記受信手段により前記電源遮断指令を受信したことを契機として、自装置内に保持されている１個または複数個の各実行待ちジョブについて、ジョブの再発行に要するコストに関する情報であるコスト情報を取得するコスト情報取得手段と、
前記コスト情報取得手段により取得した前記コスト情報に基づいて、各実行待ちジョブについて自装置の電源の遮断前に実行するジョブかどうかを判断する実行判断手段と、
前記実行判断手段により前記電源の遮断前に実行するジョブと判断された実行待ちジョブのみを前記ジョブ実行手段に実行させたのち、前記電源を遮断する制御手段と、
を備えたことを特徴とする印刷装置。
【請求項６】
前記コスト情報取得手段が取得する前記コスト情報は、自装置を中心とする所定エリア内における、実行待ちジョブの代替実行が可能な自装置と同一ネットワーク上の他の印刷装置の有無についての情報であり、
前記実行判断手段は、所定エリア内において前記他の印刷装置が存在しない場合に、その実行待ちジョブは前記電源の遮断前に実行するジョブであると判断する請求項５に記載の印刷装置。
【請求項７】
前記コスト情報取得手段が取得する前記コスト情報は、各実行待ちジョブの送信元についての情報であり、
前記実行判断手段は、送信元がプリントサーバー以外の外部装置である実行待ちジョブのみを、前記電源の遮断前に実行するジョブであると判断する請求項５または６に記載の印刷装置。
【請求項８】
外部からの電源遮断指令を受信する受信ステップと、
ジョブを実行するジョブ実行ステップと、
前記受信ステップにより前記電源遮断指令を受信したことを契機として、自装置内に保持されている１個または複数個の実行待ちジョブを実行する場合の自装置のシステムへの負荷についての情報である負荷情報を取得する負荷情報取得ステップと、
前記負荷情報取得ステップにより取得した前記負荷情報に基づいて、前記実行待ちジョブの一部または全部を前記ジョブ実行手段に実行させたのち自装置の電源を遮断するか、前記実行待ちジョブを前記ジョブ実行手段に実行させることなく前記電源を遮断するかを制御する制御ステップと、
を印刷装置が実行することを特徴とする電源遮断制御方法。
【請求項９】
外部からの電源遮断指令を受信する受信ステップと、
ジョブを実行するジョブ実行ステップと、
前記受信ステップにより前記電源遮断指令を受信したことを契機として、自装置内に保持されている１個または複数個の各実行待ちジョブについて、ジョブの再発行に要するコストに関する情報であるコスト情報を取得するコスト情報取得ステップと、
前記コスト情報取得ステップにより取得した前記コスト情報に基づいて、各実行待ちジョブについて自装置の電源の遮断前に実行するジョブかどうかを判断する実行判断ステップと、
前記実行判断ステップにより前記電源の遮断前に実行するジョブと判断された実行待ちジョブのみを前記ジョブ実行ステップで実行させたのち、前記電源を遮断する制御ステップと、
を印刷装置が実行することを特徴とする電源遮断制御方法。
【請求項１０】
印刷装置のコンピュータに、
外部からの電源遮断指令を受信する受信ステップと、
ジョブを実行するジョブ実行ステップと、
前記受信ステップにより前記電源遮断指令を受信したことを契機として、前記印刷装置内に保持されている１個または複数個の実行待ちジョブを実行する場合の印刷装置のシステムへの負荷についての情報である負荷情報を取得する負荷情報取得ステップと、
前記負荷情報取得ステップにより取得した前記負荷情報に基づいて、前記実行待ちジョブの一部または全部を前記ジョブ実行手段に実行させたのち自装置の電源を遮断するか、前記実行待ちジョブを前記ジョブ実行手段に実行させることなく前記電源を遮断するかを制御する制御ステップと、
を実行させるための電源遮断制御プログラム。
【請求項１１】
印刷装置のコンピュータに、
外部からの電源遮断指令を受信する受信ステップと、
ジョブを実行するジョブ実行ステップと、
前記受信ステップにより前記電源遮断指令を受信したことを契機として、前記印刷装置内に保持されている１個または複数個の各実行待ちジョブについて、ジョブの再発行に要するコストに関する情報であるコスト情報を取得するコスト情報取得ステップと、
前記コスト情報取得ステップにより取得した前記コスト情報に基づいて、各実行待ちジョブについて前記印刷装置の電源の遮断前に実行するジョブかどうかを判断する実行判断ステップと、
前記実行判断ステップにより前記電源の遮断前に実行するジョブと判断された実行待ちジョブのみを前記ジョブ実行ステップで実行させたのち、前記電源を遮断する制御ステップと、
を実行させるための電源遮断制御プログラム。
【発明の詳細な説明】
【技術分野】
【０００１】
この発明は、印刷装置、該印刷装置で実行される電源遮断制御方法並びに電源遮断制御プログラムに関する。
【背景技術】
【０００２】
印刷装置の動作が不安定になったときに、印刷装置の管理者等が外部端末装置を使用した遠隔操作により、印刷装置の電源を遮断するための遮断指令を送信し、印刷装置はこの遮断指令を受信すると電源を遮断したり遮断後再起動する技術が既に知られている。
【０００３】
このような技術が搭載された印刷装置において、電源遮断指令を受けて電源を遮断するときに、印刷装置内に１個または複数個の実行待ちジョブが存在する場合、直ちに電源を遮断してしまうとこれらの実行待ちジョブが消失してしまう恐れがある。
【０００４】
これを防止するため、電源遮断指令を受けたときに実行待ちジョブが存在している場合は、実行待ちジョブを全て実行した後に電源を遮断するようにした印刷装置が提案されている（例えば特許文献１）。
【０００５】
また、電源遮断指令を受けたときに実行待ちジョブが存在している場合は、その旨を外部端末装置等を介して管理者に通知し、管理者は、実行待ちジョブを全て実行したのち電源を遮断するか、あるいは実行待ちジョブを内蔵のあるいは外部の記憶装置に退避させてから電源を遮断するかを選択的に指令できる印刷装置も提案されている（例えば特許文献２）。
【先行技術文献】
【特許文献】
【０００６】
【特許文献１】特開２００７−３２００５１号公報
【特許文献２】特開２０１４−９４４７１号公報
【発明の概要】
【発明が解決しようとする課題】
【０００７】
しかしながら、特許文献１に記載の印刷装置では、印刷装置の動作が不安定になっている状態で、実行待ちジョブを全て実行したのち電源を遮断すると、実行待ちジョブの数が多い場合等に実行途中で印刷装置が完全にフリーズしてしまい、外部からの遠隔操作が不可能になってしまう事態が起こり得るという問題がある。
【０００８】
また、特許文献２に記載の技術においても、管理者が実行待ちジョブを全て実行したのち電源を遮断することを選択した場合は、特許文献１の場合と同様に、実行待ちジョブの数が多い場合等に、実行途中で印刷装置が完全にフリーズしてしまう恐れがある。また、実行待ちジョブを記憶装置に退避させてから電源を遮断することを選択した場合は、電源再起動後に退避された実行待ちジョブが実行されることになるため、実行待ちジョブの数が多い場合等には効率が良くない、という問題がある。
【０００９】
この発明はこのような問題を解消するためになされたものであって、実行待ちジョブを全て実行したのち電源を遮断する場合のような、実行途中で印刷装置が完全にフリーズする事態の発生を可及的に防止するとともに、電源を再起動して退避させた実行待ちジョブを実行する場合のような効率の悪さを防止できる印刷装置、該印刷装置で実行される電源制御方法及び電源制御プログラムを提供することを課題とする。
【課題を解決するための手段】
【００１０】
上記課題は、以下の手段によって解決される。
（１）外部からの電源遮断指令を受信する受信手段と、ジョブを実行するジョブ実行手段と、前記受信手段により前記電源遮断指令を受信したことを契機として、自装置内に保持されている１個または複数個の実行待ちジョブを実行する場合の自装置のシステムへの負荷についての情報である負荷情報を取得する負荷情報取得手段と、前記負荷情報取得手段により取得した前記負荷情報に基づく自装置のシステムへの負荷が所定値よりも小さい場合は、前記実行待ちジョブの一部または全部を前記ジョブ実行手段に実行させたのち自装置の電源を遮断し、自装置のシステムへの負荷が所定値以上の場合は、前記実行待ちジョブを前記ジョブ実行手段に実行させることなく前記電源を遮断する制御手段と、を備えたことを特徴とする印刷装置。
（２）前記負荷情報は自装置に搭載されたＲＡＭの空き容量であり、前記制御手段は、前記ＲＡＭの空き容量が所定値よりも大きい場合は、前記実行待ちジョブの一部または全部を前記ジョブ実行手段に実行させたのち自装置の電源を遮断し、所定値以下の場合は、前記実行待ちジョブを前記ジョブ実行手段に実行させることなく前記電源を遮断する前項１に記載の印刷装置。
（３）前記負荷情報は前記実行待ちジョブの個数であり、前記制御手段は、前記実行待ちジョブの個数が所定値よりも少ない場合は、前記実行待ちジョブの一部または全部を前記ジョブ実行手段に実行させたのち自装置の電源を遮断し、所定値以上の場合は、前記実行待ちジョブを前記ジョブ実行手段に実行させることなく前記電源を遮断する前項１または２に記載の印刷装置。
（４）前記負荷情報は前記実行待ちジョブのサイズの合計値であり、前記制御手段は、前記合計値が所定値よりも少ない場合は、前記実行待ちジョブの一部または全部を前記ジョブ実行手段に実行させたのち自装置の電源を遮断し、所定値以上の場合は、前記実行待ちジョブを前記ジョブ実行手段に実行させることなく前記電源を遮断する前項１〜３のいずれかに記載の印刷装置。
（５）外部からの電源遮断指令を受信する受信手段と、ジョブを実行するジョブ実行手段と、前記受信手段により前記電源遮断指令を受信したことを契機として、自装置内に保持されている１個または複数個の各実行待ちジョブについて、ジョブの再発行に要するコストに関する情報であるコスト情報を取得するコスト情報取得手段と、前記コスト情報取得手段により取得した前記コスト情報に基づいて、各実行待ちジョブについて自装置の電源の遮断前に実行するジョブかどうかを判断する実行判断手段と、前記実行判断手段により前記電源の遮断前に実行するジョブと判断された実行待ちジョブのみを前記ジョブ実行手段に実行させたのち、前記電源を遮断する制御手段と、を備えたことを特徴とする印刷装置。
（６）前記コスト情報取得手段が取得する前記コスト情報は、自装置を中心とする所定エリア内における、実行待ちジョブの代替実行が可能な自装置と同一ネットワーク上の他の印刷装置の有無についての情報であり、前記実行判断手段は、所定エリア内において前記他の印刷装置が存在しない場合に、その実行待ちジョブは前記電源の遮断前に実行するジョブであると判断する前項５に記載の印刷装置。
（７）前記コスト情報取得手段が取得する前記コスト情報は、各実行待ちジョブの送信元についての情報であり、前記実行判断手段は、送信元がプリントサーバー以外の外部装置である実行待ちジョブのみを、前記電源の遮断前に実行するジョブであると判断する前項５または６に記載の印刷装置。
（８）外部からの電源遮断指令を受信する受信ステップと、ジョブを実行するジョブ実行ステップと、前記受信ステップにより前記電源遮断指令を受信したことを契機として、自装置内に保持されている１個または複数個の実行待ちジョブを実行する場合の自装置のシステムへの負荷についての情報である負荷情報を取得する負荷情報取得ステップと、前記負荷情報取得ステップにより取得した前記負荷情報に基づく自装置のシステムへの負荷が所定値よりも小さい場合は、前記実行待ちジョブの一部または全部を前記ジョブ実行手段に実行させたのち自装置の電源を遮断し、自装置のシステムへの負荷が所定値以上の場合は、前記実行待ちジョブを前記ジョブ実行手段に実行させることなく前記電源を遮断する制御ステップと、を印刷装置が実行することを特徴とする電源遮断制御方法。
（９）外部からの電源遮断指令を受信する受信ステップと、ジョブを実行するジョブ実行ステップと、前記受信ステップにより前記電源遮断指令を受信したことを契機として、自装置内に保持されている１個または複数個の各実行待ちジョブについて、ジョブの再発行に要するコストに関する情報であるコスト情報を取得するコスト情報取得ステップと、前記コスト情報取得ステップにより取得した前記コスト情報に基づいて、各実行待ちジョブについて自装置の電源の遮断前に実行するジョブかどうかを判断する実行判断ステップと、前記実行判断ステップにより前記電源の遮断前に実行するジョブと判断された実行待ちジョブのみを前記ジョブ実行ステップで実行させたのち、前記電源を遮断する制御ステップと、を印刷装置が実行することを特徴とする電源遮断制御方法。
（１０）印刷装置のコンピュータに、外部からの電源遮断指令を受信する受信ステップと、ジョブを実行するジョブ実行ステップと、前記受信ステップにより前記電源遮断指令を受信したことを契機として、前記印刷装置内に保持されている１個または複数個の実行待ちジョブを実行する場合の印刷装置のシステムへの負荷についての情報である負荷情報を取得する負荷情報取得ステップと、前記負荷情報取得ステップにより取得した前記負荷情報に基づく自装置のシステムへの負荷が所定値よりも小さい場合は、前記実行待ちジョブの一部または全部を前記ジョブ実行手段に実行させたのち自装置の電源を遮断し、自装置のシステムへの負荷が所定値以上の場合は、前記実行待ちジョブを前記ジョブ実行手段に実行させることなく前記電源を遮断する制御ステップと、を実行させるための電源遮断制御プログラム。
（１１）印刷装置のコンピュータに、外部からの電源遮断指令を受信する受信ステップと、ジョブを実行するジョブ実行ステップと、前記受信ステップにより前記電源遮断指令を受信したことを契機として、前記印刷装置内に保持されている１個または複数個の各実行待ちジョブについて、ジョブの再発行に要するコストに関する情報であるコスト情報を取得するコスト情報取得ステップと、前記コスト情報取得ステップにより取得した前記コスト情報に基づいて、各実行待ちジョブについて前記印刷装置の電源の遮断前に実行するジョブかどうかを判断する実行判断ステップと、前記実行判断ステップにより前記電源の遮断前に実行するジョブと判断された実行待ちジョブのみを前記ジョブ実行ステップで実行させたのち、前記電源を遮断する制御ステップと、を実行させるための電源遮断制御プログラム。
【発明の効果】
【００１１】
前項（１）、（８）および（１０）に記載の発明によれば、印刷装置は、外部からの電源遮断指令を受信したことを契機として、自装置内に保持されている１個または複数個の実行待ちジョブを実行する場合の自装置のシステムへの負荷についての情報である負荷情報を取得する。そして、取得した負荷情報に基づいて、実行待ちジョブの一部または全部を実行したのち自装置の電源を遮断するか、実行待ちジョブを実行させることなく直ちに電源を遮断するかが制御される。
【００１２】
つまり、システム負荷が大きく、実行待ちジョブを実行すると実行途中で印刷装置が完全にフリーズする恐れがあるような場合は、実行待ちジョブを実行することなく自装置の電源が遮断されるから、全ての実行待ちジョブを実行したのち電源を遮断する場合に発生し得る印刷装置のフリーズを可及的に防止することができる。逆に、システム負荷が小さく、実行待ちジョブを実行しても実行途中で印刷装置がフリーズする恐れが少ないような場合は、実行待ちジョブの一部または全部を実行したのち自装置の電源が遮断されるから、全ての実行待ちジョブを退避させて電源の再起動後に退避させた実行待ちジョブを実行する場合のような効率の悪さを防止できる。
【００１３】
前項（２）に記載の発明によれば、自装置に搭載されたＲＡＭの空き容量が所定値よりも大きい場合は、実行待ちジョブを実行してもシステムに対する負荷が小さく、実行途中で印刷装置がフリーズする恐れが少ないから、実行待ちジョブの一部または全部が実行される。ＲＡＭの空き容量が所定値以下の場合は、実行待ちジョブを実行するとシステムに対する負荷が大きく、実行途中で印刷装置が完全にフリーズする恐れが高まるから、直ちに電源が遮断される。
【００１４】
前項（３）に記載の発明によれば、実行待ちジョブの個数が所定値よりも少ない場合は、実行待ちジョブを実行してもシステムに対する負荷が小さく、実行途中で印刷装置がフリーズする恐れが少ないから、実行待ちジョブの実行が可能であると判断され、実行待ちジョブの一部または全部が実行される。実行待ちジョブの個数が所定値以上の場合は、実行待ちジョブを実行するとシステムに対する負荷が大きく、実行途中で印刷装置が完全にフリーズする恐れが高まるから、実行待ちジョブの実行は不可能と判断され、直ちに電源が遮断される。
【００１５】
前項（４）に記載の発明によれば、実行待ちジョブのサイズの合計値が所定値よりも少ない場合は、実行待ちジョブを実行してもシステムに対する負荷が小さく、実行途中で印刷装置がフリーズする恐れが少ないから、実行待ちジョブの一部または全部が実行される。実行待ちジョブのサイズの合計値が所定値以上の場合は、実行待ちジョブを実行するとシステムに対する負荷が大きく、実行途中で印刷装置が完全にフリーズする恐れが高まるから、直ちに電源が遮断される。
【００１６】
前項（５）、（９）及び（１１）に記載の発明によれば、外部からの電源遮断指令を受信したことを契機として、自装置内に保持されている１個または複数個の各実行待ちジョブについて、ジョブの再発行に要するコストに関する情報であるコスト情報を取得するとともに、取得したコスト情報に基づいて、各実行待ちジョブを自装置の電源の遮断前に実行するジョブかどうかを判断する。そして、電源の遮断前に実行するジョブと判断された実行待ちジョブのみをジョブ実行手段に実行させたのち、電源を遮断する。
【００１７】
つまり、ジョブの再発行に要するコストが高い実行待ちジョブのみを、電源の遮断前に実行するジョブであると判断してジョブを実行した後に電源を遮断することができるから、全ての実行待ちジョブを実行したのち電源を遮断する場合に発生し得る印刷装置のフリーズの危険性を、可及的に防止することができる。また、ジョブの再発行に要するコストが高い実行待ちジョブを実行した後に、電源が遮断されるから、全ての実行待ちジョブを退避させて電源の再起動後に退避させた実行待ちジョブを実行する場合のような効率の悪さを防止できる。
【００１８】
前項（６）に記載の発明によれば、自装置を中心とする所定エリア内において、実行待ちジョブの代替実行が可能な自装置と同一ネットワーク上の他の印刷装置が存在する場合は、その印刷装置で実行待ちジョブを代替実行するのは容易でありコストも低いと考えられ、他の印刷装置が存在しない場合は、他の印刷装置で実行待ちジョブを代替実行するのは容易でなくコストも高いと考えられる。このため、自装置を中心とする所定エリア内において、実行待ちジョブの代替実行が可能な自装置と同一ネットワーク上の他の印刷装置が存在しない場合に、その実行待ちジョブを実行した後、電源を遮断することで、フリーズの発生を可及的に防止しながら、効率の良い実行待ちジョブの実行処理を行うことができる。
【００１９】
前項（７）に記載の発明によれば、各実行待ちジョブの送信元がプリントサーバーである場合は、電源の再起動後に再度プリントサーバーからジョブを送信してもらう処理は容易でありコストも低いと考えられ、例えばユーザーのパーソナルコンピュータ等のようなプリントサーバー以外の送信元からのジョブである場合は、再度送信してもらうのはユーザーの手間がかかりコストも高いと考えられる。このため、送信元がプリントサーバー以外の外部装置である実行待ちジョブのみを実行した後、電源を遮断することで、フリーズの発生を可及的に防止しながら、効率の良い実行待ちジョブの実行処理を行うことができる。
【図面の簡単な説明】
【００２０】
【図１】この発明の一実施形態に係る印刷装置を備えた印刷システムの構成図である。
【図２】印刷装置の構成を示すブロック図である。
【図３】携帯端末装置の構成を示すブロック図である。
【図４】負荷情報がＲＡＭの空き容量である場合において、印刷装置が携帯端末装置から電源遮断指令を受信したときの動作を示すフローチャートである。
【図５】負荷情報が実行待ちジョブの個数及び／または合計サイズである場合において、印刷装置が携帯端末装置から電源遮断指令を受信したときの動作を示すフローチャートである。
【図６】電源遮断指令を受信したときに印刷装置が取得するコスト情報が、自装置を中心とする所定エリア内における、実行待ちジョブの代替実行が可能な自装置と同一ネットワーク上の他の印刷装置の有無についての情報である場合の印刷装置の動作を示すフローチャートである。
【図７】電源遮断指令を受信したときに印刷装置が取得するコスト情報が、各実行待ちジョブの送信元についての情報である場合の印刷装置の動作を示すフローチャートである。
【発明を実施するための形態】
【００２１】
以下、この発明の実施形態を図面に基づいて説明する。
【００２２】
図１はこの発明の一実施形態に係る印刷装置を備えた印刷システムの構成図である。この印刷システムは、複数台（この例では３個）の印刷装置１と携帯端末装置２とプリントサーバー４と１台または複数台の端末装置（クライアントＰＣと記す）５とを備え、これらがＬＡＮ（Local Area Network）等のネットワーク３を介して相互に接続されている。
【００２３】
この実施形態では、画像形成装置１として、コピー機能、プリンタ機能、スキャン機能、ファクシミリ機能等を備えた多機能デジタル画像形成装置であるＭＦＰ（Multi Functional Peripherals）が用いられている。以下、印刷装置をＭＦＰともいう。
【００２４】
図２はＭＦＰ１の構成を示すブロック図である。ＭＦＰ１は、ＣＰＵ１１と、ＲＯＭ１２と、ＲＡＭ１３と、スキャナ部１４と、記憶部１５と、プリンタ部１６と、操作パネル１７と、ネットワークコントローラ１８と、無線通信部１９と、電源部１００等を備えている。
【００２５】
前記ＣＰＵ１１は、ＭＦＰ１の全体を統括制御し、コピー機能、プリンタ機能、スキャン機能、ファクシミリ機能等の基本機能を使用可能に制御する。また、携帯端末装置２からの電源遮断指令を受信したことを契機として、必要な情報を取得するとともに、取得した情報に基づいて自装置内に未実行で残存する実行待ちジョブを実行した後電源を遮断するか、あるいは実行待ちジョブを実行することなく電源を遮断するかを制御する。この点については後述する。
【００２６】
ＲＯＭ１２はＣＰＵ１１の動作プログラム等を格納するメモリである。
【００２７】
ＲＡＭ１３は、ＣＰＵ１１が動作プログラムに基づいて動作する際の作業領域を提供するメモリである。
【００２８】
スキャナ部１４は、原稿の画像を読み取り、画像データを出力する読み取り手段である。
【００２９】
記憶部１５は、例えばハードディスクドライブ（ＨＤＤ）などの不揮発性の記憶デバイスにより構成されており、受け付けが完了しているがまだ実行されていない１個または複数個の実行待ちジョブや各種アプリケーションやその他のデータが記憶されている。なお、記憶部１５に保存された実行待ちジョブは、印刷後は記憶部１５から消去され、またＭＦＰ１の電源が遮断されたときも記憶部１５から消去される。
【００３０】
プリンタ部１６は、スキャナ部１４で読み取られた原稿の画像データや外部からのプリントデータ等を、指示されたモードに従って印刷するものであり、印刷ジョブの実行手段として機能する。
【００３１】
操作パネル１７は、各種入力操作等のために使用されるものであり、メッセージや操作画面等を表示するタッチパネル式液晶等からなる表示部１７１と、テンキー、スタートキー、ストップキー等を備えたキー入力部１７２を備えている。
【００３２】
ネットワークコントローラ１８は、ネットワーク上の他のＭＦＰや、その他の外部機器例えばパーソナルコンピュータからなるユーザー端末等との間での通信を制御することにより、データの送受信を行うものである。
【００３３】
無線通信部１９は、ＭＦＰ１の管理者等が所持する携帯端末装置２との間で、NFC（Near Field Communication）等による無線通信を行い、携帯端末装置２から電源遮断指令やその他のコマンドを受信する。
【００３４】
電源部１００は、ＭＦＰ１に商用電力を供給したり遮断するためのスイッチ手段を備え、ＣＰＵ１１による制御に基づいて、電源の遮断及び再投入（再起動）が可能となっている。
【００３５】
図３は携帯端末装置２の構成を示すブロック図である。携帯端末装置２は、例えばタブレット端末や携帯電話などからなり、ＣＰＵ２０１、制御プログラムの格納されたＲＯＭ２０２、ＣＰＵ２０１が動作する際の作業領域を提供するためのＲＡＭ２０３を備え、ＲＯＭ２０２及びＲＡＭ２０３はそれぞれバスを介してＣＰＵ２０１に接続されている。また、ＣＰＵ２０１、ＲＯＭ２０２及びＲＡＭ２０３により、携帯端末２の全体を統括的に制御する制御部２００を形成している。
【００３６】
制御部２００には、各種の情報を表示するとともに画面を直接タッチして操作入力を行うタッチパネル２０５、ワイヤレスランインターフェース２０６、短距離無線インターフェース２０７が、バスを介してそれぞれ接続されている。ワイヤレスランインターフェース２０６は、ネットワークとの通信やＭＦＰ１との通信に利用され、短距離無線インターフェース２０７は例えばブルートゥースや赤外線通信等の短距離無線通信を行うためのインターフェースである。
【００３７】
さらに、制御部２００には固定記憶装置２０４がバスを介して接続されている。固定記憶装置２０４とは例えばハードディスク装置である。この固定記憶装置２０４には、各種のデータが記憶されている。
【００３８】
プリントサーバー４はパーソナルコンピュータからなり、クライアントＰＣ５等から受け付けた印刷ジョブを保持し、指定されたＭＦＰ１に印刷ジョブを送信したり、ＭＦＰ１からの要求に応じて印刷ジョブをＭＦＰ１に送信する動作を行う。
【００３９】
クライアントＰＣ５はユーザーの端末装置であり、パーソナルコンピュータによって構成される。クライアントＰＣ５は、印刷ジョブを作成すると共に、作成した印刷ジョブをプリントサーバー４を経由してあるいはプリントサーバー４を経由することなく直接に、ユーザーが指定するＭＦＰ１に送信する。
【００４０】
次に、図１に示した印刷システムにおいて、ＭＦＰ１の管理者等が所有する携帯端末装置２からＭＦＰ１に対して、ＭＦＰ１の電源を遮断するための電源遮断指令が無線通信により送信されたときのＭＦＰ１の動作を説明する。
【００４１】
このような電源遮断指令は、ＭＦＰ１の動作が不安定になっているときに、ＭＦＰ１の電源を遮断して再起動させることにより動作の安定を回復させる必要のある場合に、管理者等が携帯端末装置２を用いて外部からＭＦＰ１に送信する。
【００４２】
この実施形態では、ＭＦＰ１は携帯端末装置２から電源遮断指令を受信すると、実行中のジョブ（印刷ジョブ）があればそのジョブを完了した後、自装置の負荷情報を取得する。ここで、負荷情報とは、自装置内に保持されている１個または複数個の実行待ちジョブ（実行待ちの印刷ジョブ）を実行する場合の自装置のシステムへの負荷についての情報をいい、実行待ちジョブの実行時の負荷が大きいか小さいかを判断するための情報である。負荷情報の一例としては、例えばＲＡＭ１０３の空き容量、実行待ちジョブの個数、実行待ちジョブの合計サイズ等をあげることができる。どのような負荷情報を取得するかは予め設定されている。
【００４３】
図４は、負荷情報がＲＡＭ１３の空き容量である場合において、ＭＦＰ１が携帯端末装置２から電源遮断指令を受信したときの動作を示すフローチャートである。
【００４４】
図４及び図５以降のフローチャートに示される処理は、ＭＦＰ１のＣＰＵ１１がＲＯＭ１２等の記録媒体に格納された動作プログラムに従って動作することにより実行される。また、ＭＦＰ１は端末２から電源遮断指令である再起動コマンド、換言すれば電源を一旦遮断した後再起動させる指令を受信したものとして説明するが、再起動処理を含まない電源遮断指令を受信し、再起動は手動操作で行う構成であっても良い。
【００４５】
ＭＦＰ１は、ステップＳ０１で、携帯端末装置（以下、単に端末ともいう）２からの再起動コマンドを受信すると、ステップＳ０２で、実行中のジョブがあるかどうかを判断する。実行中のジョブがあれば（ステップＳ０２でＹＥＳ）、ステップＳ０３でそのジョブが終了するのを待ち（ステップＳ０３でＮＯ）、実行中のジョブが終了すると（ステップＳ０３でＹＥＳ）、ステップＳ０４に進む。ステップＳ０２で、実行中のジョブがなければ（ステップＳ０２でＮＯ）、そのままステップＳ０４に進む。
【００４６】
ステップＳ０４では、内蔵ＲＡＭ１３の使用状況をチェックしてＲＡＭ１３の空き容量を取得したのち、ステップＳ０５でＲＡＭ１３の空き容量が予め設定された所定値よりも大きいかどうかを判定する。ジョブの終了後には実行済みのジョブに関するコマンド、パラメータ、プログラム等はＲＡＭ１３から消去されるが、完全に消去されず残っていることがあり、このような場合はＲＡＭ１３の空き容量が小さくなる。
【００４７】
ＲＡＭ１３の空き容量が所定値以下の場合は（ステップＳ０５でＮＯ）、実行待ちジョブを実行するとシステムに対する負荷が大きく、実行途中でＭＦＰ１が完全にフリーズする恐れが高まるから、ステップＳ１１に進み再起動処理を実行した後、ステップＳ１２で、再起動処理が完了したことを端末２に通知する。従って、この場合は実行待ちジョブが実行されることなく直ちに電源が遮断され、実行待ちジョブは消去される。
【００４８】
ステップＳ０５において、ＲＡＭ１３の空き容量が所定値よりも大きい場合は（ステップＳ０５でＹＥＳ）、１個または複数個の実行待ちジョブの全てを実行しても、システムに対する負荷が小さく安定した動作が見込め、実行中にＭＦＰ１が完全にフリーズしてしまう恐れが少ない。このため、未実行で残っている全ての実行待ちジョブを実行する。
【００４９】
つまり、ステップＳ０６で実行待ちジョブを実行し、ステップＳ０７で実行待ちジョブがなくなったかどうかを判定する。なくなっていない場合は（ステップＳ０７でＮＯ）、ステップＳ０８で、一定時間処理が全く進行しなくなったかどうかを確認する。この確認はＭＦＰ１が端末２から定期的に確認信号を受信することにより行われても良いし、端末２からの確認信号に依ることなくＭＦＰ１が自ら行っても良い。処理が進行していれば（ステップＳ０８でＮＯ）、ステップＳ０６に戻り、実行待ちジョブがなくなるまでステップＳ０５〜Ｓ０７を繰り返す。実行待ちジョブがなくなると（ステップＳ０７でＹＥＳ）、ステップＳ１１に進み再起動処理を実行した後、ステップＳ１２で、再起動処理が完了したことを端末２に通知する。この再起動処理によりＭＦＰ１は通常の動作安定状態に復帰する。
【００５０】
ステップＳ０８において、一定時間処理が進行しなくなった場合（ステップＳ０８でＹＥＳ）、ステップＳ０９でその旨を端末２に通知する。この通知を受けて、端末２はＭＦＰ１を即時に再起動させるための強制再起動コマンドをＭＦＰ１に送信する。ＭＦＰ１は、ステップＳ１０でこの強制再起動コマンドを受信すると、ステップＳ１１に進み、再起動処理を実行した後、ステップＳ１２で、再起動処理が完了したことを端末２に通知する。この場合、実行されていない実行待ちジョブは消去される。
【００５１】
このように、この実施形態では、ＲＡＭ１３の空き容量が所定値よりも大きい場合は、実行待ちジョブの全部が実行され、所定値以下の場合は直ちに電源が遮断される。その結果、システム負荷が大きく、実行待ちジョブを実行すると実行途中でＭＦＰ１が完全にフリーズする恐れがあるような場合は、実行待ちジョブを実行することなく電源が遮断されるから、全ての実行待ちジョブを実行したのち電源を遮断する場合に発生し得るＭＦＰ１のフリーズを可及的に防止することができる。逆に、システム負荷が小さく、実行待ちジョブを実行しても実行途中でＭＦＰ１がフリーズする恐れが少ないような場合は、全ての実行待ちジョブを実行したのち電源が遮断されるから、全ての実行待ちジョブを退避させて電源の再起動後に退避させた実行待ちジョブを実行する場合のような効率の悪さを防止できる。
【００５２】
なお、図４のフローチャートで示した実施形態では、ＲＡＭ１３の空き容量が所定値よりも大きい場合は、全ての実行待ちジョブを実行する構成としたが、空き容量に応じて複数個のジョブのうち一部のジョブ、例えばジョブサイズが所定値よりも小さいジョブのみを実行する構成としても良い。
【００５３】
また、端末２から再起動コマンドを受信した時に、実行待ちジョブが存在しているものとしたが、ステップＳ０４でのＲＡＭ１３の空き容量の取得前に、実行待ちジョブが存在しているかどうかを判断し、存在しない場合はステップＳ１１の再起動処理を行い、存在している場合にのみステップＳ０４に進む構成としても良い。
【００５４】
図５は、この発明の他の実施形態を示すもので、負荷情報が実行待ちジョブの個数及び／または合計サイズである場合において、ＭＦＰ１が携帯端末装置２から電源遮断指令を受信したときの動作を示すフローチャートである。
【００５５】
なお、図５のフローチャートにおいて、ステップＳ０１〜Ｓ０３及びステップＳ０６〜Ｓ１２に示す処理は、図４のフローチャートのステップＳ０１〜Ｓ０３及びステップＳ０６〜Ｓ１２に示す処理と同じであるので、同一のステップ番号を付し詳細な説明は省略する。
【００５６】
図５のステップＳ０３において、実行中のジョブが終了すると（ステップＳ０３でＹＥＳ）、ステップＳ２１に進む。ステップＳ０２で、実行中のジョブがなければ（ステップＳ０２でＮＯ）、そのままステップＳ２１に進む。
【００５７】
ステップＳ２１では、実行待ちジョブの個数及び／または合計サイズを取得する。次いで、ステップＳ２２で、取得した個数及び／または合計サイズは所定値未満であるかどうかを判定する。所定値未満でなければ換言すれば所定値以上であれば（ステップＳ２２でＮＯ）、実行待ちジョブを実行するとシステムに対する負荷が大きく、実行途中でＭＦＰ１が完全にフリーズする恐れが高まるから、ステップＳ１１に進み再起動処理を実行する。従って、この場合は実行待ちジョブが実行されることなく直ちに電源が遮断され、実行待ちジョブは消去される。なお、実行待ちジョブの個数で負荷の状態を判断するか、実行待ちジョブの合計サイズで負荷の状態を判断するか、実行待ちジョブの個数及び合計サイズの両方で判断するかは、予め設定されている。
【００５８】
ステップＳ２２において、実行待ちジョブの個数及び／または合計サイズが所定値未満の場合は（ステップＳ２２でＹＥＳ）、１個または複数個の実行待ちジョブの全てを実行しても、システムに対する負荷が小さく安定した動作が見込め、実行中にＭＦＰ１が完全にフリーズしてしまう恐れが少ない。このため、ステップＳ０６に進み、未実行で残っている全ての実行待ちジョブを実行する。
【００５９】
このように、この実施形態では、実行待ちジョブの個数及び／または合計サイズが所定値未満の場合は、実行待ちジョブの全部が実行され、所定値以上の場合は直ちに電源が遮断される。その結果、システム負荷が大きく、実行待ちジョブを実行すると実行途中でＭＦＰ１が完全にフリーズする恐れがあるような場合は、実行待ちジョブを実行することなく電源が遮断されるから、全ての実行待ちジョブを実行したのち電源を遮断する場合に発生し得るＭＦＰ１のフリーズを可及的に防止することができる。逆に、システム負荷が小さく、実行待ちジョブを実行しても実行途中でＭＦＰ１がフリーズする恐れが少ないような場合は、実行待ちジョブの一部または全部を実行したのち電源が遮断されるから、全ての実行待ちジョブを退避させて電源の再起動後に退避させた実行待ちジョブを実行する場合のような効率の悪さを防止できる。
【００６０】
なお、図５のフローチャートで示した実施形態では、実行待ちジョブの個数及び／または合計サイズが所定値未満の場合は、全ての実行待ちジョブを実行する構成としたが、実行待ちジョブの個数及び／または合計サイズに応じて、複数個のジョブのうち一部のジョブ、例えばジョブサイズが所定値よりも小さいジョブのみを実行する構成としても良い。
【００６１】
また、端末２から再起動コマンドを受信した時に、実行待ちジョブが存在しているものとしたが、ステップＳ２１での実行待ちジョブの個数及び／または合計サイズの取得前に、実行待ちジョブが存在しているかどうかを判断し、存在しない場合はステップＳ１１の再起動処理を行い、存在している場合にのみステップＳ２１に進む構成としても良い。
【００６２】
また、実行待ちジョブの個数及び／または合計サイズか所定未満か否かに応じて、実行待ちジョブを実行後に再起動するか、実行することなく直ちに再起動するかを決定したが、実行待ちジョブの個数及び／または合計サイズか所定未満か否かと、ＲＡＭ１３の空き容量が所定値よりも大きいか否かを組み合わせて、実行待ちジョブを実行可能かどうかを判断してもよい。
【００６３】
図６及び図７は、この発明の他の実施形態を説明するためのフローチャートである。これらの実施形態では、電源遮断指令を受信したことを契機として、実行待ちジョブを再発行するのに必要なコストに関するコスト情報をＭＦＰ１が取得し、このコスト情報から判断されるジョブの再発行に要するコストが高い実行待ちジョブのみを、電源遮断指令前に実行することにより、電源遮断前に実行される実行待ちジョブの個数を減少し、全ての実行待ちジョブを実行したのち電源を遮断する場合に発生し得る印刷装置のフリーズの危険性を、可及的に防止するものである。また、ジョブの再発行に要するコストが高い実行待ちジョブを実行した後に、電源が遮断されるから、全ての実行待ちジョブを退避させて電源の再起動後に退避させた実行待ちジョブを実行する場合のような効率の悪さも防止できる。
【００６４】
ここで、コスト情報には、実行待ちジョブの再発行に必要なユーザーの工数、余分にかかる時間、追加で発生する費用等、印刷をやり直す場合に新たに発生するもの全般が含まれ、コスト情報の種類や、それに基づくコストが高いか安いかは予め設定されている。
【００６５】
図６は、電源遮断指令を受信したときにＭＦＰ１が取得するコスト情報が、自装置を中心とする所定エリア内における、実行待ちジョブの代替実行が可能な自装置と同一ネットワーク上の他のＭＦＰの有無についての情報である場合のＭＦＰ１の動作を示している。
【００６６】
自装置を中心とする所定エリア内に、実行待ちジョブの代替実行が可能な自装置と同一ネットワーク上の他のＭＦＰが存在する場合は、ユーザーにそのＭＦＰを使用して実行待ちジョブの印刷を行ってもらう方が早く印刷でき、総合的にコストが安いと考えられる。
【００６７】
そこで、自装置を中心とする所定エリア内に、実行待ちジョブの代替実行が可能な自装置と同一ネットワーク上の他のＭＦＰが存在する場合は、その実行待ちジョブは実行せず、代替印刷が可能な他のＭＦＰが存在しない実行待ちジョブのみを実行する構成となっている。
【００６８】
なお、図６のフローチャートにおいて、ステップＳ０１〜Ｓ０３及びステップＳ０８〜Ｓ１２に示す処理は、図４のフローチャートのステップＳ０１〜Ｓ０３及びステップＳ０８〜Ｓ１２に示す処理と同じであるので、同一のステップ番号を付し詳細な説明は省略する。
【００６９】
図６のステップＳ０３において、実行中のジョブが終了すると（ステップＳ０３でＹＥＳ）、ステップＳ３１に進む。ステップＳ０２で、実行中のジョブがなければ（ステップＳ０２でＮＯ）、そのままステップＳ３１に進む。
【００７０】
ステップＳ３１では、１個または複数個の各実行待ちジョブについて、ジョブの情報を基に、自装置を中心とする所定エリア内に、実行待ちジョブの代替実行が可能な自装置と同一ネットワーク上の他のＭＦＰが存在するかどうかチェックする。所定エリアとは例えばＭＦＰ１が設置されている室内をいう。他のＭＦＰの設置場所（位置情報）、同一ネットワークかどうか、代替実行が可能かどうかを判断するための装置性能等についての情報は、ＭＦＰ１に登録しておいても良いし、図示は省略したがネットワークに接続されたＭＦＰを一括管理する管理サーバーに登録しておき、この管理サーバーに問い合わせても良い。あるいは、ネットワークを通じて他のＭＦＰに問い合わせても良い。
【００７１】
次いで、ステップＳ３２で、所定エリア内に代替実行が可能な他のＭＦＰが存在していると判断された実行待ちジョブのみを順番に実行する。ステップＳ３３では実行すべき実行待ちジョブがすべて完了したかどうかを判断する。すべて完了していない場合は（ステップＳ３３でＮＯ）、ステップＳ０８に進み、一定時間処理が全く進行しなくなったかどうかを確認したのち、実行予定の実行待ちジョブが全て完了するまでステップＳ３２〜Ｓ０８を繰り返す。
【００７２】
実行予定の実行待ちジョブがすべて完了すると（ステップＳ３３でＹＥＳ）、ステップＳ１１に進み再起動処理を実行する。
【００７３】
このようにこの実施形態では、端末２からの電源遮断指令を受信すると、各実行待ちジョブについて、自装置を中心とする所定エリア内において、実行待ちジョブの代替実行が可能な自装置と同一ネットワーク上の他のＭＦＰの有無についての情報を取得する。そして、他のＭＦＰが存在する場合は、そのＭＦＰで実行待ちジョブを代替実行するのは容易でありコストも安いと考えられることから、その実行待ちジョブを実行せず、他のＭＦＰが存在しない場合は、他のＭＦＰで実行待ちジョブを代替実行するのは容易でなくコストも高いと考えられることから、代替実行可能な他のＭＦＰが存在しない場合にのみ、その実行待ちジョブを実行した後、電源を遮断する。
【００７４】
つまり、ジョブの再発行に要するコストが高い実行待ちジョブのみを、電源の遮断前に実行するジョブであると判断してジョブを実行した後に電源を遮断することができるから、全ての実行待ちジョブを実行したのち電源を遮断する場合に発生し得るＭＦＰ１のフリーズの危険性を、可及的に防止することができる。また、ジョブの再発行に要するコストが高い実行待ちジョブを実行した後に、電源が遮断されるから、全ての実行待ちジョブを退避させて電源の再起動後に退避させた実行待ちジョブを実行する場合のような効率の悪さを防止できる。
【００７５】
図７は、電源遮断指令を受信したときにＭＦＰ１が取得するコスト情報が、各実行待ちジョブの送信元についての情報である場合のＭＦＰ１の動作を示している。
【００７６】
各実行待ちジョブの送信元がプリントサーバー４である場合は、電源の再起動後に再度プリントサーバー４からジョブを送信してもらう処理は容易でありコストも低いと考えられる。一方、クライアントＰＣ５から直接送信されたジョブである場合は、再度送信してもらうのはユーザーの手間がかかりコストも高いと考えられる。このため、送信元がクライアントＰＣ５である実行待ちジョブのみを実行した後、電源を遮断することで、フリーズの発生を可及的に防止しながら、効率の良い実行待ちジョブの実行処理を行う構成となっている。
【００７７】
なお、図７のフローチャートにおいて、ステップＳ０１〜Ｓ０３及びステップＳ０８〜Ｓ１２に示す処理は、図４のフローチャートのステップＳ０１〜Ｓ０３及びステップＳ０８〜Ｓ１２に示す処理と同じであるので、同一のステップ番号を付し詳細な説明は省略する。
【００７８】
図７のステップＳ０３において、実行中のジョブが終了すると（ステップＳ０３でＹＥＳ）、ステップＳ４１に進む。ステップＳ０２で、実行中のジョブがなければ（ステップＳ０２でＮＯ）、そのままステップＳ４１に進む。
【００７９】
ステップＳ４１では、１個または複数個の各実行待ちジョブについて、クライアントＰＣから直接送信されたジョブか、プリントサーバー４を介して送信されたジョブを判定する。この判定は、例えばジョブのヘッダ情報に基づいて判定する。プリントサーバー４を介して送信されたジョブのヘッダ情報には、プリントサーバー４の情報（例えばプリントサーバー４のＩＰアドレス）が記録される一方、ＭＦＰ１にはプリントサーバー４のＩＰアドレスについての情報が保持されている。そして、ヘッダ情報にプリントサーバー４のＩＰアドレスが記録されているジョブについては、プリントサーバー４経由であると判定し、プリントサーバー４のＩＰアドレスが記録されていないジョブについては、クライアントＰＣ５から直接送信されたジョブと判定する。
【００８０】
次いで、ステップＳ４２で、クライアントＰＣ５から直接送信された実行待ちジョブのみを順番に実行する。ステップＳ４３では実行すべき実行待ちジョブがすべて完了したかどうかを判断する。すべて完了していない場合は（ステップＳ４３でＮＯ）、ステップＳ０８に進み、一定時間処理が全く進行しなくなったかどうかを確認したのち、実行予定の実行待ちジョブが全て完了するまでステップＳ４２〜Ｓ０８を繰り返す。
【００８１】
実行予定の実行待ちジョブがすべて完了すると（ステップＳ４３でＹＥＳ）、ステップＳ１１に進み再起動処理を実行する。
【００８２】
なお、図７の例では、クライアントＰＣ５から直接に送信された実行待ちジョブのみを実行したが、プリントサーバー４及びクライアントＰＣ５を除く外部装置から直接送信された実行待ちジョブも、クライアントＰＣ５から直接送信された実行待ちジョブとともに実行する構成であっても良い。
【００８３】
図６の例では、自装置を中心とする所定エリア内において、実行待ちジョブの代替実行が可能な自装置と同一ネットワーク上の他のＭＦＰの有無についての情報を取得し、図７の例では、各実行待ちジョブの送信元についての情報を取得し、それぞれの情報に基づいて電源遮断前に各実行待ちジョブを実行するかどうかを判断したが、それらの情報を組み合わせて判断しても良い。例えば、自装置を中心とする所定エリア内において、実行待ちジョブの代替実行が可能な自装置と同一ネットワーク上の他のＭＦＰが存在しておらず、かつ送信元がクライアントＰＣ５である実行待ちジョブのみ、電源遮断前に実行する構成としても良い。
【００８４】
また、図４〜図７に示した実施形態において、電源遮断前に実行されない実行待ちジョブについては、ＭＦＰ１は、その発行元ユーザーに、自装置の電源遮断によりジョブが実行されることなく消去される旨のメッセージを、メール等により連絡する構成としても良い。
【符号の説明】
【００８５】
１    印刷装置
１１  ＣＰＵ
１２  ＲＯＭ
１３  ＲＡＭ
１５  記憶部
１８  ネットワークコントローラ
１９  無線通信部
２    携帯端末装置
３    ネットワーク
４    プリントサーバー
５    クライアントＰＣ
【図１】
2016210059.tif 000003
【図２】
2016210059.tif 000004
【図３】
2016210059.tif 000005
【図４】
2016210059.tif 000006
【図５】
2016210059.tif 000007
【図６】
2016210059.tif 000008
【図７】
2016210059.tif 000009